【手続補正書】
【提出日】令和2年8月11日(2020.8.11)
【手続補正１】
【補正対象書類名】特許請求の範囲
【補正対象項目名】全文
【補正方法】変更
【補正の内容】
【特許請求の範囲】
【請求項１】
無線通信システムにおける電子機器であって、
複数のユーザー機器がフィードバックしたセル間干渉を指示する情報と、セル内干渉を指示する情報とに応じて、前記複数のユーザー機器に関する伝送リソース配置を確定するように配置されている処理回路を含む電子機器。
【請求項２】
前記電子機器は、さらに基地局として作動し、且つ前記処理回路は、さらに、前記複数のユーザー機器にセル間干渉を測定するためのリソースを配置するように配置されている請求項１に記載の電子機器。
【請求項３】
配置したセル間干渉を測定するためのリソースは、チャネル状態情報干渉測定ＣＳＩ-ＩＭリソース、非ゼロパワーチャネル状態情報参照信号ＮＺＰ  ＣＳＩ-ＲＳリソース、及び復調参照信号ＤＭＲＳリソースのうちの一つを含む請求項２に記載の電子機器。
【請求項４】
前記電子機器は、さらに基地局として作動し、且つ前記処理回路は、さらに、複数のユーザー機器がフィードバックしたセル間干渉を指示する情報に応じて、前記複数のユーザー機器にセル内干渉を測定するためのリソースを配置するように配置されている請求項１に記載の電子機器。
【請求項５】
前記処理回路は、さらに、
前記複数のユーザー機器がフィードバックしたセル間干渉を指示する情報に応じて、前記複数のユーザー機器が位置する１つまたは複数のユーザープールを確定し、
各ユーザープールを単位として前記複数のユーザー機器にセル内干渉を測定するためのリソースを配置するように配置されている請求項４に記載の電子機器。
【請求項６】
前記処理回路は、さらに、
各ユーザープールについて、ユーザープール内のユーザー機器の数および位置情報に応じて各ユーザープールを１つまたは複数の候補グループに分割し、
各候補グループを単位として、前記複数のユーザー機器にセル内干渉を測定するためのリソースを配置するように配置されている請求項５に記載の電子機器。
【請求項７】
各ユーザー機器に対して配置するセル内干渉を測定するためのリソースは、当該ユーザー機器に対応するポートに配置される非ゼロパワーチャネル状態情報参照信号ＮＺＰ  ＣＳＩ-ＲＳリソース、及び当該ユーザー機器が位置する候補グループ内の他のユーザー機器に対応するポートに配置されるチャネル状態情報干渉測定ＣＳＩ-ＩＭリソースを含む請求項６に記載の電子機器。
【請求項８】
前記処理回路は、さらに、
各ユーザープールについて、ユーザー機器の数が予定の閾値以下であると、当該ユーザープールを一つの候補グループとし、
ユーザー機器の数が予定の閾値よりも大きいと、ユーザー機器の位置情報に応じて当該ユーザープールを複数の領域に分割し、前記複数の領域のうちの各所定数の領域を一つの候補グループとするように配置されている請求項６に記載の電子機器。
【請求項９】
ユーザープール内のユーザー機器の数が予定の閾値よりも大きい場合に、各ユーザー機器に対して配置するセル内干渉を測定するためのリソースは、当該ユーザー機器に対応するポートに配置される非ゼロパワーチャネル状態情報参照信号ＮＺＰ  ＣＳＩ-ＲＳリソース、及び当該ユーザー機器が位置する候補グループ内の、当該ユーザー機器が位置する領域を除いた他の領域におけるユーザー機器に対応するポートに配置されるチャネル状態情報干渉測定ＣＳＩ-ＩＭリソースを含む請求項８に記載の電子機器。
【請求項１０】
前記処理回路は、さらに、セル間干渉の幅区間を指示する情報を生成するように配置されており、当該情報は前記複数のユーザー機器に送信され、前記複数のユーザー機器により、当該情報に応じて、各々のセル間干渉が存在する幅区間を指示する情報を、各々のセル間干渉を指示する情報としてフィードバックする請求項１に記載の電子機器。
【請求項１１】
前記処理回路は、さらに、配置したセル間干渉を測定するためのリソースがＣＳＩ-ＩＭリソースである場合に、各パワー区間を指示する情報を生成するように配置されており、当該情報は前記複数のユーザー機器に送信され、前記複数のユーザー機器により、当該情報に応じて、各々の隣接セルの参照信号受信パワーが存在するパワー区間を指示する情報を、各々のセル間干渉を指示する情報としてフィードバックする請求項３に記載の電子機器。
【請求項１２】
前記処理回路は、さらに、それがフィードバックするセル間干渉を指示する情報を受信していないユーザー機器、または受信したセル間干渉を指示する情報が予定の閾値よりも高いユーザー機器について、当該ユーザー機器に対してシングルユーザー伝送を行うと確定するように配置されている請求項１に記載の電子機器。
【請求項１３】
前記処理回路は、さらに、前記複数のユーザー機器における何れかのユーザー機器のサービス品質が予定の要求よりも低い場合に、前記何れかのユーザー機器の伝送リソース配置を再確定するか、または前記何れかのユーザー機器に対してシングルユーザー伝送を行うように配置されている請求項１に記載の電子機器。
【請求項１４】
無線通信システムにおける電子機器であって、
基地局のセル間リソース配置に応じて、ユーザー機器が受けるセル間干渉を指示する情報を生成し、当該情報は、前記基地局にフィードバックされ、
前記基地局のセル内リソース配置に応じて、前記ユーザー機器が受けるセル内干渉を指示する情報を生成し、当該情報は、前記基地局にフィードバックされ、前記基地局は前記セル間干渉を指示する情報と、前記セル内干渉を指示する情報とに基づいて、前記ユーザー機器に関する伝送リソース配置を確定するように配置されている処理回路を含む電子機器。
【請求項１５】
前記処理回路は、さらに、前記基地局からのセル間干渉の幅区間を指示する情報に応じて、前記ユーザー機器が受けるセル間干渉が存在する幅区間を指示する情報を、前記セル間干渉を指示する情報として生成するように配置されている請求項１４に記載の電子機器。
【請求項１６】
前記処理回路は、さらに、前記ユーザー機器が受けるセル間干渉が存在する幅区間、及び幅区間とユーザープールとの対応関係に応じて、前記ユーザー機器が位置するユーザープールを指示する情報を、前記セル間干渉を指示する情報として生成するように配置されている請求項１５に記載の電子機器。
【請求項１７】
前記処理回路は、さらに、前記基地局のセル間リソース配置に応じて、対応するポートのパワーを測定し、測定されたパワーに応じて前記セル間干渉を指示する情報を生成するように配置されているか、または、
前記処理回路は、さらに、前記ユーザー機器のサービス品質が予定の需要よりも低い場合に、前記基地局に対して前記ユーザー機器に関する伝送リソース配置を再確定するように要求するように配置されている請求項１４に記載の電子機器。
【請求項１８】
前記処理回路は、さらに、シングルユーザーチャネル品質指示ＳＵ-ＣＱＩの形式で、前記セル間干渉を指示する情報をフィードバックするように配置されているか、または、
前記処理回路は、さらに、マルチユーザーチャネル品質指示ＭＵ-ＣＱＩの形式、またはマルチユーザーチャネル品質指示ＭＵ-ＣＱＩとシングルユーザーチャネル品質指示ＳＵ-ＣＱＩとの差の形式で、前記セル内干渉を指示する情報をフィードバックするように配置されている請求項１４〜１７の何れか一項に記載の電子機器。
【請求項１９】
無線通信システムにおける方法であって、
複数のユーザー機器がフィードバックするセル間干渉を指示する情報と、セル内干渉を指示する情報とに応じて、前記複数のユーザー機器に関する伝送リソース配置を確定することを含む方法。
【請求項２０】
無線通信システムにおける方法であって、
基地局のセル間リソース配置に応じて、ユーザー機器が受けるセル間干渉を指示する情報を生成し、当該情報は、前記基地局にフィードバックされ、
前記基地局のセル内リソース配置に応じて、ユーザー機器が受けるセル内干渉を指示する情報を生成し、当該情報は、前記基地局にフィードバックされ、前記基地局は前記セル間干渉を指示する情報と、前記セル内干渉を指示する情報とに基づいて前記ユーザー機器に関する伝送リソース配置を確定することを含む方法。